(57)【要約】【課題】被処理水に含まれる懸濁物質の分離効率を向上させた凝集剤の添加方法を提供することである。【解決手段】霧状に噴出させた被処理水に対して粉状に噴出させた凝集剤を添加することで、該被処理水に含まれる懸濁物質を分離する。【選択図】図１
2008264714.tif 000002
【特許請求の範囲】
【請求項１】
霧状に噴出させた被処理水に対して粉状に噴出させた凝集剤を添加することで、該被処理水に含まれる懸濁物質を分離する凝集剤の添加方法。
【請求項２】
請求項１に記載の凝集剤の添加方法であって、
前記被処理水の噴出および前記凝集剤の噴出は、それぞれエアーによって実施される凝集剤の添加方法。
【請求項３】
請求項１〜２のいずれかに記載の凝集剤の添加方法であって、
前記被処理水の噴出および前記凝集剤の噴出は、内面が御碗状に形成された御碗体の上方で実施される凝集剤の添加方法。
【発明の詳細な説明】
【技術分野】
【０００１】
本発明は、凝集剤の添加方法に関し、詳しくは、懸濁物質を含む被処理水に凝集剤を添加することで該被処理水に含まれる懸濁物質を分離する凝集剤の添加方法に関する。
【背景技術】
【０００２】
被処理水に含まれる懸濁物質（以下、「ＳＳ」と記す）を分離する方法として、例えば、該被処理水に凝集剤を添加してＳＳを凝集させる技術が既に知られている。この技術では、まず、攪拌機を備えた攪拌層に被処理水を流し込んでおき、その攪拌槽に凝集剤を投入して攪拌機によって攪拌させている。その後、被処理水を攪拌槽から混合槽および浮上槽へと移送させて所定時間放置させると、被処理水内に含まれるＳＳが浮上していき該被処理水に含まれるＳＳを分離させることができる。
【特許文献１】特開２００６−８２００５号公報
【発明の開示】
【発明が解決しようとする課題】
【０００３】
しかしながら、上述した凝集剤の添加方法では、被処理水に含まれるＳＳの種類によっては分離効率が悪い場合もあり、分離効率の向上が求められていた。
【０００４】
本発明は、このような課題を解決しようとするもので、その目的は、被処理水に含まれる懸濁物質の分離効率を向上させた凝集剤の添加方法を提供することである。
【課題を解決するための手段】
【０００５】
本発明は、上記の目的を達成するためのものであって、以下のように構成されている。
請求項１に記載の発明は、霧状に噴出させた被処理水に対して粉状に噴出させた凝集剤を添加することで、該被処理水に含まれる懸濁物質を分離する方法である。
この方法によれば、ノズルから霧状に噴出させた被処理水にノズルから粉状に噴出させた凝集剤が添加されることになる。このように添加すると、空中での添加となるため、被処理水に凝集剤が均質に混合されることになる。したがって、被処理水に含まれる懸濁物質の分離効率を向上させることができる。
【０００６】
また、請求項２に記載の発明は、請求項１に記載の凝集剤の添加方法であって、前記被処理水の噴出および前記凝集剤の噴出は、それぞれエアーによって実施される方法である。
この方法によれば、ノズルへ送るエアーの量を調整することができるため、ノズルから噴出させる凝集剤の量を任意に調整することができる。また、このことと同様にして、ノズルへ送るエアーの量を調整することができるため、ノズルから噴出させる被処理水の量を任意に調整することができる。したがって、被処理水の種類によって適宜添加量を決定することができる。
【０００７】
また、請求項３に記載の発明は、請求項１〜２のいずれかに記載の凝集剤の添加方法であって、前記被処理水の噴出および前記凝集剤の噴出は、内面が御碗状に形成された御碗体の上方で実施される方法である。
この方法によれば、被処理水に凝集剤が空中で添加された後、御碗体の内部で、さらに被処理水と凝集剤が混合されることになる。したがって、被処理水に凝集剤をより均質に混合させることができる。
【発明を実施するための最良の形態】
【０００８】
以下、本発明を実施するための最良の形態を、図１〜３を用いて説明する。図１は、本発明の凝集剤の添加方法を示す概念図である。図２は、本発明の凝集剤の添加方法を適用させた添加システムの構成図である。図３は、分離タンク４２の内部の仕切り状態を示す概念図である。
【０００９】
まず、図２を参照して、凝集剤の添加システムを説明する。１０は、凝集剤を粉状に噴出可能なノズルである。１１は、凝集剤を貯蔵可能な凝集剤タンクである。１２は、ノズル１０と凝集剤タンク１１とを接続する配管である。この配管１２は、その内部において２系統並設された構成となっている。すなわち、配管１２は、ノズル１０から凝集剤タンク１１へエアーを送る１次配管１２ａと、凝集剤タンク１１からノズル１０へ凝集剤を送る２次配管１２ｂとから構成されている。１３は、調整弁である。１４は、減圧弁である。１５は、コンプレッサである。１６は、エアーホースである。このエアーホース１６は、ノズル１０とコンプレッサ１５とを接続するものであり、その途中には、コンプレッサ１５側から減圧弁１４と調整弁１３とが割り込む格好で直列的に接続されている。
【００１０】
そして、コンプレッサ１５から減圧弁１４および調整弁１３を介してノズル１０へ送られたエアーは、一旦、凝集剤タンク１１へ送られてから凝集剤と共にノズル１０へ戻される。このように凝集剤タンク１１へエアーを送ることによって、凝集剤タンク１１内部の凝集剤が固結することなく凝集剤タンク１１内部の凝集剤をノズル１０へ送ることができる。
【００１１】
２０は、被処理水を霧状に噴出可能なノズルである。２１は、被処理水を貯蔵可能な被処理水タンクである。この被処理水には、ＳＳが含まれている。２２は、ノズル２０と被処理水タンク２１とを接続する配管である。２３は、調整弁である。２４は、減圧弁である。２５は、コンプレッサである。２６は、エアーホースである。このエアーホース２６は、ノズル２０とコンプレッサ２５とを接続するものであり、その途中には、コンプレッサ２５側から減圧弁２４と調整弁２３とが割り込む格好で直列的に接続されている。
【００１２】
３０は、制御装置であり、この制御装置３０は、調整弁１３、コンプレッサ１６、調整弁２３およびコンプレッサ２５とそれぞれ電気的に接続されている。この制御装置３０によって、コンプレッサ１５を運転または停止させることができると共に、調整弁１３を予め設定の開度に開かせることができる。これにより、ノズル１０へ送るエアーの量を調整することができるため、ノズル１０から噴出させる凝集剤の量を任意に調整することができる。また、このことと同様にして、ノズル２０へ送るエアーの量を調整することができるため、ノズル２０から噴出させる被処理水の量を任意に調整することができる。したがって、被処理水の種類によって適宜添加量を決定することができる。
【００１３】
４０は、御碗体であり、その内面は御碗状に形成されている。そして、図１に示すように、この御碗体４０の上方位置に、ノズル１０とノズル２０は配置されている。これにより、ノズル１０から霧状に噴出させた被処理水にノズル２０から粉状に噴出させた凝集剤が添加されることになる。このように添加すると、空中での添加となるため、被処理水に凝集剤が均質に混合されることになる。したがって、被処理水に含まれるＳＳの分離効率を向上させることができる。
【００１４】
また、両ノズル１０、２０は、御碗体４０の上方位置に配置されているため、被処理水に凝集剤が空中で添加された後、御碗体４０の内部で、さらに被処理水と凝集剤が混合されることになる。したがって、被処理水に凝集剤をより均質に混合させることができる。
【００１５】
４２は、御碗体４０と配管４１を介して接続された分離タンクである。図３に示すように、配管４１は分離タンク４２の下方に接続されている。そして、配管４１が接続された側面と対向する側面の下方と上方には、それぞれ外部と連通する開口が形成されている。また、分離タンク４２の内部には、配管４１が接続された側面と平行に適当間隔で仕切壁４２ａが設けられている。この仕切壁４２ａの上下端部は、被処理水の流れを遮ることのないように切り欠かれている。
【００１６】
続いて、上述した添加システムの作用について説明する。まず、ノズル１０から噴出される凝集剤の噴出量とノズル２０から噴出される被処理水の噴出量とが所望する数値となるように制御装置３０によって設定する。次に、調整弁１３、２３およびコンプレッサ１５、２５とを運転させて、ノズル１０から凝集剤を噴出させると共に、ノズル２０から被処理水を噴出させる。
【００１７】
すると、既に説明したように、御碗体４０の上方および内部で被処理水に凝集剤が添加および混合され、凝集剤が混合された被処理水は配管４１を介して分離タンク４２へ送られる。そして、送られた被処理水を分離タンク４２で適当な養生時間を与える。その後、この被処理水内に含まれるＳＳが浮上していくため該被処理水に含まれるＳＳを分離させることができる。そして、この図３に示すように、分離タンク４２の上方からＳＳを回収でき、下方から回収水を回収できる。
【００１８】
上述した凝集剤の添加システムによれば、ノズル１０から噴出させる凝集剤の量とノズル２０から噴出させる被処理水の量とを個別に且つ微細に調整できるため、被処理水の種類に応じて凝集剤の添加量が最適となるように制御できる。また、ノズル１０、２０を使用しているため、噴出のときの、凝集剤および被処理水の広がり角度が最適となるように設定できる。また、ノズル１０、２０の絞り具合によって、噴出のときの霧状および粉状の具合が最適となるように設定できる。また、減圧弁１４、２４を使用しているため、エアー量やその圧力の調整が容易に実施できる。
【００１９】
また、ノズル１０からコンプレッサ１５までの間は閉ざされた空間で構成されているため、外部から湿気が入りにくい構造となっている。また、凝集剤タンク１１をカートリッジ方式として、配管１２と着脱可能な構成とすれば、凝集剤の補充を簡便に実施できる。
【００２０】
上述した内容は、あくまでも本発明の一実施の形態に関するものであって、本発明が上記内容に限定されることを意味するものではない。
実施例では、コンプレッサ１５、２５をエアー源とする例を説明した。しかし、これに限定されるものでなく、エアーポンプをエアー源とする構成であっても構わない。
【図面の簡単な説明】
【００２１】
【図１】図１は、本発明の凝集剤の添加方法を示す概念図である。
【図２】図２は、本発明の凝集剤の添加方法を適用させた添加システムの構成図である。
【図３】図３は、分離タンク４２の内部の仕切り状態を示す概念図である。
【符号の説明】
【００２２】
１０    ノズル
２０    ノズル
４０    御碗体
【図１】
2008264714.tif 000003
【図２】
2008264714.tif 000004
【図３】
2008264714.tif 000005